(57)【要約】【課題】メダル等の遊技媒体の搬送作業を、短時間で、労力を要することなく行うことができ、しかも定量のメダルを容易に移し替えることができるようにした遊技媒体定量補給装置を提供する。【解決手段】筐体２の上方から投下した遊技媒体を底部に集める排出シュート９と、該排出シュートの底部に設けられた排出口９ａと、該排出口の下方に設けられた回転定量容器１９と、さらに該回転定量容器の下方に設けられたメダル収納容器１１とを有し、回転定量容器１９は排出シュート９の排出口９ａに向けて上方が開口された円筒回転体２１の内部を複数の所定容量に区画する仕切板２２を有すると共に、該円筒回転体の中央から上方に延出された回動軸１３を筐体２の外部に設けられたハンドル１０によって操作可能とされ、さらに円筒回転体２１の下部に設けられた受板２０にはメダル収納容器１１の上方に位置する落下口２３が設けられてなる。【選択図】図４
2006277159.tif 000002
【特許請求の範囲】
【請求項１】
筐体の上方から投下した遊技媒体を底部に集める排出シュートと、該排出シュートの底部に設けられた排出口と、該排出口の下方に設けられた回転定量容器と、さらに該回転定量容器の下方に設けられたメダル収納容器とを有し、前記回転定量容器は前記排出シュートの排出口に向けて上方が開口された円筒回転体の内部を複数の所定容量に区画する仕切板を有すると共に、該円筒回転体の中央から上方に延出された回動軸を前記筐体の外部に設けられたハンドルによって操作可能とされ、さらに前記円筒回転体の下部に設けられた受板にはメダル収納容器の上方に位置する落下口が設けられてなり、前記排出シュートの排出口から排出された遊技媒体を前記円筒回転体内の区画分ごとに計量して、該計量された遊技媒体を前記円筒回転体の落下口から前記メダル収納容器内に落として収容するようにしたことを特徴とする遊技媒体定量補給装置。
【請求項２】
前記円筒回転体の下部を支承する受板には、前記仕切板の下辺に設けられた複数の凸形状を案内する周溝が前記回動軸の周方向に形成されていることを特徴とする請求項１又は２記載の遊技媒体定量補給装置。
【発明の詳細な説明】
【技術分野】
【０００１】
本発明は、メダル等の遊技媒体を使用する遊技場において、遊技機やメダル貸機へ遊技媒体を補給する際に、遊技媒体を定量に分けて排出するようにした遊技媒体定量補給装置に関する。
【背景技術】
【０００２】
従来、例えば、遊技場に設置されたスロットマシンで使用されるメダル（コインとも云う）は、各スロットマシンの横側に設置されたメダル貸機から貸し出され、スロットマシンで使用された後、研磨機に搬送され、この研磨機で磨かれたメダルを、作業員が、遊技機やメダル貸機に補給するという作業によって払い出されるものである。
【０００３】
このような補給作業においては、特許文献１の従来技術に記載されたような手押ワゴンが、従来から使用されている。この手押ワゴンは、図５(ａ)に示すように、内部にコインを収納するための積載箱３１を備え、積載箱３１の上部には開口部３２とその開口部３２を塞ぐための蓋３３が設けられ、さらに、積載箱３１には、手押しで移動させるための取手３４と台車３５とが設けられた構造を有するものである。
【０００４】
このような手押ワゴン３０を使用したコインの補給作業は、作業員が、磨かれたコインを開口部３２から積載箱３１に投入し、手押ワゴン３０を手押しで貸出機まで移動した後、蓋３３を開けて積載箱３１内のコインを、図５(ｂ)に示す移替用容器３６に移し替え、この移替用容器３６内のコインを遊技機や貸出機に投入することにより行う。
【０００５】
ところが、このような移変え作業において、積載箱３１内のコインを移替用容器３６のべラ部３６ａで掬い取る作業だけでコインを移替用容器３６内に満杯にするのは、極めて困難であり、作業効率が非常に悪いという問題があった。
【０００６】
このような問題点を解消すべく、特許文献１において、図６に示す手押ワゴン４０が案出されている。この手押ワゴン４０は、コインを積載する積載箱４１と、メダル収納容器４２を設置する容器設置具４３と、積載箱４１の排出口４４から容器設置具４３の上方に設けられた投入口４５までコインを搬送する回転搬送具４６とを備えるものであり、回転操作具４７を回転操作することによって回転搬送具４６が回転し、排出口４４から排出されたコインが投入口４５まで搬送されると、投入口４５から落下したコインはシュート４８を通過してメダル収納容器４２内に投入される。
【特許文献１】特開２００１−２３６５５０公報
【発明の開示】
【発明が解決しようとする課題】
【０００７】
ところが、上記の手押ワゴン４０において、回転搬送具４６は螺旋形状の搬送翼４６ａによる内部構造を有するため、構造が複雑であり、また積載箱４１の排出口４４から投入口４５までコインを搬送するには、作業員が、回転操作具４７を幾回転も回動する必要があり、その労力は大きく、またメダル収納容器４２にコインを満たすまでに時間がかかるという欠点があった。
【０００８】
本発明は、上記の問題点を解消するためになされたもので、メダル等の遊技媒体の補給作業を、短時間で、労力を要することなく行うことができ、しかも定量のメダルを容易に移し替えることができるようにした遊技媒体定量補給装置を提供することを目的とする。
【課題を解決するための手段】
【０００９】
上記の問題を解決するために、本発明の請求項１の遊技媒体定量補給装置は、筐体の上方から投下した遊技媒体を底部に集める排出シュートと、該排出シュートの底部に設けられた排出口と、該排出口の下方に設けられた回転定量容器と、さらに該回転定量容器の下方に設けられたメダル収納容器とを有し、前記回転定量容器は前記排出シュートの排出口に向けて上方が開口された円筒回転体の内部を複数の所定容量に区画する仕切板を有すると共に、該円筒回転体の中央から上方に延出された回動軸を前記筐体の外部に設けられたハンドルによって操作可能とされ、さらに前記円筒回転体の下部に設けられた受板にはメダル収納容器の上方に位置する落下口が設けられてなり、前記排出シュートの排出口から排出された遊技媒体を前記円筒回転体内の区画分ごとに計量して、該計量された遊技媒体を前記円筒回転体の落下口から前記メダル収納容器内に落として収容するようにしたことを特徴とする。
【００１０】
さらに、本発明の請求項３の遊技媒体定量補給装置は、請求項１又は２において、前記円筒回転体の下部を支承する受板には、前記仕切板の下辺に設けられた複数の凸形状を案内する周溝が前記回動軸の周方向に形成されていることを特徴とする。
【発明の効果】
【００１１】
本発明の遊技媒体定量補給装置によれば、回転定量容器は、円筒回転体の内部にて仕切板による区画分ごとに仕切られ、ハンドルの回転操作で回転定量容器を回転することによって、自動的に、区画分ごとの遊技媒体を落下口からメダル収納容器内に落下して収容することが可能である。このような構造においては、例えばハンドルを１回転することによって、メダル収納容器の一杯分の遊技媒体を払い出すことができるというように、メダル収納容器の容積に応じて、回転定量容器の各区画分の容量を計画することができる。
【００１２】
従って、作業者は、メダル等の遊技媒体を排出シュートに投入した後、ハンドルを所定回数回動することによって、自動的に、メダル収納容器に定量の遊技媒体を得ることができ、従来装置に比べて、非常に軽減された労力で遊技媒体の定量一括払出しを行うことが可能となる。
【００１３】
さらに、本発明の遊技媒体定量補給装置において、円筒回転体の下部を支承する受板には、仕切板の下辺に設けられた複数の凸形状を案内する周溝が回動軸の周方向に形成されているため、周溝の上部に蓄積されたメダル等の薄厚の遊技媒体が仕切板と受板の間に潜り込まないようにすることを可能としている。
【発明を実施するための最良の形態】
【００１４】
以下、本発明の実施例について図面を参照しながら説明する。
【実施例１】
【００１５】
本発明による遊技媒体定量補給装置１は、図１又は図２(ａ)及び(ｂ)に示す筐体２に収容されている。この筐体２は、上部に取手３を有し、底部には車輪４と回転自在のキャスタ５が設けられ、取手３を押したり引いたりすることによって、筐体２を移動することができるメダル補給台車６として構成されている。
【００１６】
また、この筐体２の上方は開放部７と天板部８を有し、開放部７には後述する排出シュート９が上方を露呈した状態で設けられ、天板部８にはハンドル１０が上方に突出した状態で設けられている。さらに、この筐体２の取手３側の下方の側面には、メダル収納容器１１を出し入れする収納部１２が開口状態で設けられている。従って、作業者は、収納部１２の開口からメダル収納容器１１を容易に出し入れすることが可能であり、メダル収納容器１１を収納部１２に設置又は取り出す作業と、筐体２の取手３を握って移動する操作とをスムーズに行うことができる。
【００１７】
上記の筐体２の内部構造は、図３に示すように、筐体２の上部全体を占める排出シュート９が設けられ、この排出シュート９は、底部の排出口９ａに向かって四面を下方に傾斜した形状に形成され、上方から投下したメダル等の遊技媒体を底部に集め、排出口９ａから下方へ排出することが可能とされている。
【００１８】
また、筐体２の上部片側に固設された天板部８は上方に突出したハンドル１０と該ハンドル１０の回動軸１３を天板部８の内部に貫通して、該回動軸１３を天板部８の内部に設けられた駆動プーリ１４（図４参照）に結合している。
【００１９】
この天板部８の内部は、図４に示すように、駆動プーリ１４に隣接して、該駆動プーリ１４よりも大径の連結プーリ１５が設けられ、駆動プーリ１４と連結プーリ１５とはベルト１６で連結されている。なお、このベルト１６は歯付きベルトとして、駆動プーリ１４と連結プーリ１５にも歯付きベルトに歯合するギアを形成した構造とすることも可能であり、さらには駆動プーリ１４と連結プーリ１５の代わりに、小径ギアと大径ギアの歯合構造によって、ハンドル１０の回動操作を、回転比を変えた状態で伝達するようにした構造としてもよい。
【００２０】
また、連結プーリ１５の中心には連結軸１７が固定され、連結軸１７は下方に延長されてボス１８に固定されている。このボス１８は、図３に示すように、排出シュート９の下方側部に設けられた回転定量容器１９の内部中央に設けられたものである。
【００２１】
回転定量容器１９は、筐体２に対して水平状に固定された受板２０と、該受板２０の上面にて摺動状態で回動する円筒回転体２１とを有する。この円筒回転体２１は、図４に示すように、上記の連結軸１７のボス１８の周りに所定間隔を固定された仕切板２２の外端部に固定されることによって、上記のハンドル１０の回動操作によって、仕切板２２と共にボス１８の周りに回動可能とされている。
【００２２】
上記の円筒回転体２１は、排出シュート９の排出口９ａに位置合せされて設けられ、排出口９ａから落下する遊技媒体を周囲に零すことなく、円筒回転体２１の内部に収容することができる。このような円筒回転体２１の内部は、複数の仕切板２２、２２…によって所定容量に区画されている。従って、仕切板２２の取付け枚数及び取付け位置は、区画分ごとの容量によって決定されるものである。
【００２３】
なお、一区画分の容量を後述するメダル収納容器１１の定量とするように、例えばハンドル１０を１回転することによって、メダル収納容器１１の一杯分の遊技媒体を払い出すというように、メダル収納容器１１の容積に応じて、回転定量容器１９の各区画分の容量を計画することができる。
【００２４】
また、受板２０には、メダル収納容器１１の収納部１２の上方に相当する位置に、落下口２３が形成されている。この落下口２３は、上記の円筒回転体２１の内部の一区画分を超えない面積に形成され、上記の円筒回転体２１の一区画分に集積された遊技媒体を落下口２３から一括して落下することができる。
【００２５】
また、夫々の仕切板２２には、略中央に折曲部２２ａが形成されている。この折曲部２２ａは円筒回転体２１の回転方向の後方側に窪んだ形状を有し、上記のハンドル１０の回動操作によって円筒回転体２１が回転すると、遊技媒体は仕切板２２の折曲部２２ａの窪んだ箇所に集合され、四方に散らばらずに後述する受板２０の落下口２３から落下させることができる。
【００２６】
さらに、受板２０には、円筒回転体２１の内部を占める床部に、複数の周溝２４、２４…が形成されている。この周溝２４は、仕切板２２の下辺に設けられた複数の凸形状２２ｂに嵌合されるものであり、円筒回転体２１の内部に蓄積されたメダル等の薄厚の遊技媒体が、複数の周溝２４、２４…による床形状によって、仕切板２２と受板２０の間に潜り込まないようにすることが可能である。
【００２７】
また、上記の受板２０の落下口２３の下方には、メダル収納容器１１の収納部１２が設けられ、受板２０の落下口２３から落下したメダルは、この収納部１２に設置されたメダル収納容器１１に落下して収納される。
【００２８】
上記の構成により、作業者が、メダル等の遊技媒体を筐体２の上方から排出シュート９内に投下し、ハンドル１０を回動操作することにより、排出口９ａから排出された遊技媒体を、自動的に、円筒回転体２１内の区画分ごとに計量して、該計量された遊技媒体を、区画分ごとに一括して落下口２３から落下させ、収納部１２に設置されたメダル収納容器１１内に収容することとなる。
【産業上の利用可能性】
【００２９】
本発明の遊技媒体定量補給装置は、例えば、遊技場に設置されたスロットマシンで使用されるメダル等の遊技媒体を研磨機で磨いた後、ハンドルの少ない回転操作で、自動的に、メダル収納容器に定量の遊技媒体を計量して供給することができるため、短時間で、労力を要することなく、定量のメダルを容易に移し替えることができる遊技媒体定量補給装置として利用することが可能である。
【図面の簡単な説明】
【００３０】
【図１】本発明による遊技媒体定量補給装置を内蔵したメダル補給台車の外観斜視図である。
【図２】(ａ)、(ｂ)は本発明による遊技媒体定量補給装置を内蔵したメダル補給台車の側面図である。
【図３】本発明による遊技媒体定量補給装置を内蔵したメダル補給台車の内部構造を示す斜視図である。
【図４】本発明による遊技媒体定量補給装置の斜視図である。
【図５】(ａ)は従来の手押ワゴンの斜視図であり、(ｂ)は移替用容器の外観図である。
【図６】特許文献１の手押ワゴンの内部構造を示す図である。
【符号の説明】
【００３１】
１  遊技媒体定量補給装置
２  筐体
３  取手
４  車輪
５  キャスタ
６  メダル補給台車
７  開放部
８  天板部
９  排出シュート
９ａ  排出口
１０  ハンドル
１１  メダル収納容器
１２  収納部
１３  回動軸
１４  駆動プーリ
１５  連結プーリ
１６  ベルト
１７  連結軸
１８  ボス
１９  回転定量容器
２０  受板
２１  円筒回転体
２２  仕切板
２２ａ  折曲部
２２ｂ  凸形状
２３  落下口
２４  周溝
【図１】
2006277159.tif 000003
【図２】
2006277159.tif 000004
【図３】
2006277159.tif 000005
【図４】
2006277159.tif 000006
【図５】
2006277159.tif 000007
【図６】
2006277159.tif 000008